(57)【特許請求の範囲】
【請求項１】
一連の操作で各操作に関連する操作スイッチを順次操作して眼科測定が行なわれる眼科測定装置において、
各操作スイッチに対応して点灯ないし点滅可能な表示素子を設け、
一連の操作で操作された操作スイッチの表示素子を点灯し、次の操作で操作される操作スイッチの表示素子を点滅させることを特徴とする眼科測定装置。
【請求項２】
一連の操作で各操作に関連する操作スイッチを順次操作して眼科測定が行なわれる眼科測定装置において、
各操作スイッチに対応して設けられた点灯ないし点滅可能な表示素子と、
各操作スイッチの機能を示す文字を照明する照明素子とを設け、
一連の操作で最初に操作される操作スイッチの照明素子のみを点灯し、その点灯された照明素子に関連する操作スイッチが操作されたときは、その操作された操作スイッチの表示素子を点灯し、次の操作で操作される操作スイッチの表示素子を点滅させることを特徴とする眼科測定装置。
【請求項３】
前記次の操作で操作される操作スイッチの照明素子を点灯することを特徴とする請求項２に記載の眼科測定装置。
【請求項４】
前記表示素子の点滅速度を可変にすることを特徴とする請求項１から３のいずれか１項に記載の眼科測定装置。
【請求項５】
誤操作を警告するときは、前記表示素子の点滅速度を増大させることを特徴とする請求項１から４のいずれか１項に記載の眼科測定装置。
【請求項６】
照明素子により操作スイッチの機能を示す文字が照明されていないときは、その操作スイッチの操作を無効にすることを特徴とする請求項２から５のいずれか１項に記載の眼科測定装置。
【発明の詳細な説明】
【０００１】
【発明の属する技術分野】
本発明は、眼科測定装置、更に詳細には、一連の操作で各操作に関連する操作スイッチを順次操作して眼科測定が行なわれる眼科測定装置に関する。
【０００２】
【従来の技術】
眼科測定装置には、眼底カメラ、眼圧計、視野計など種々の装置があり、これらの眼科測定装置には、各測定対象に対照に従って、種々の操作スイッチや表示部が設けられている。例えば、眼底カメラでは、眼底の露光量の設定がマニュアルか、オートであるか示す表示ＬＥＤが設けられ、また、蛍光撮影でエキサイターフィルタ、あるいはバリアーフィルタを操作する操作スイッチやその操作スイッチの機能を表示する表示部など、種々の操作スイッチ及び表示部が設けられている。
【０００３】
【発明が解決しようとする課題】
しかしながら、これらの眼科測定装置は、いずれも暗室ないし準暗室で使用されることが多いので、操作スイッチなどの操作部及び表示部が見にくく、誤操作の原因となっている。
【０００４】
本発明は、この問題点を解決するためになされたもので、暗室でも確実に操作可能な眼科測定装置を提供することをその課題とする。
【０００５】
【課題を解決するための手段】
上記課題を解決するために、本発明では、一連の操作で各操作に関連する操作スイッチを順次操作して眼科測定が行なわれる眼科測定装置において、各操作スイッチに対応して点灯ないし点滅可能な表示素子を設け、一連の操作で操作された操作スイッチの表示素子を点灯し、次の操作で操作される操作スイッチの表示素子を点滅させる構成を採用した。
【０００６】
このような構成では、操作された操作スイッチの表示素子が順次点灯して、次に操作すべき操作スイッチの表示素子が順次点滅するので、検者は、一連の操作を経て暗室で眼科測定する場合に、点滅している操作スイッチを順次操作して測定を行なえばよく、検者の操作を的確に誘導できることから、効率的で正確な眼科測定を行なうことができる。
【０００７】
また、本発明では、一連の操作で各操作に関連する操作スイッチを順次操作して眼科測定が行なわれる眼科測定装置において、各操作スイッチに対応して設けられた点灯ないし点滅可能な表示素子と、各操作スイッチの機能を示す文字を照明する照明素子とを設け、一連の操作で最初に操作される操作スイッチの照明素子のみを点灯し、その点灯された照明素子に関連する操作スイッチが操作されたときは、その操作された操作スイッチの表示素子を点灯し、次の操作で操作される操作スイッチの表示素子を点滅させる構成も採用している。
【０００８】
このような構成では、一連の操作で最初に操作される操作スイッチの機能を示す文字のみが照明されるので、検者は暗室で作業を行なっていても、最初に操作すべき操作スイッチが指示され、誤操作なく一連の操作を開始することができる。また、一旦操作が開始されると、操作された操作スイッチの表示素子が点灯され、次の操作で操作される操作スイッチの表示素子が点滅されるので、検者の操作を的確に誘導することができる。
【０００９】
【発明の実施の形態】
以下、眼科測定装置を、眼底カメラを例にして本発明を詳細に説明する。しかし、本発明は、眼底カメラに限定されるものでなく、種々の眼科測定装置に適用できるものである。
【００１０】
図１に示す眼底カメラにおいて、観察用光源であるランプ１がミラー２の中心に配置され、このランプ１から発せられた光は、コンデンサーレンズ３、撮影用光源であるストロボ４、コンデンサーレンズ５、フィルターターレット１３を経て、全反射ミラー６によって反射され、続いてレンズ７、リング状照明を形成するためのリングスリット８、さらにリレーレンズ９、中心に穴の開いた穴あき全反射ミラー１０で反射されてから対物レンズ１１を経て、被検眼Ｅの瞳Ｅｐより眼底Ｅｒに入射される。この場合、ランプ１とストロボ４の点灯あるいは発光はＣＰＵ１２からの信号により行われる。
【００１１】
コンデンサーレンズ５の後方に配置されたフィルターターレット１３には、拡大して図示されたように、その周囲に、スルーフィルタ１３ａ、レッドフィルタ１３ｂ、グリーンフィルタ１３ｃ、エキサイターフィルタ１３ｄ（ほぼ４７０〜５１０ｎｍの波長を透過）が配置されており、それぞれ撮影モードないし条件に従ってＣＰＵ１２の制御によりその一つが光路に挿入できるようになっている。
【００１２】
眼底Ｅｒからの反射光は再び瞳Ｅｐから対物レンズ１１を介して受光され、穴あき全反射ミラー１０の穴を介して変倍レンズ１４、リレーレンズ１５を通過してリターンミラー１６に入射する。変倍レンズ１４、１４’は、ＣＰＵ１２からの信号で交換して光路に挿入でき、眼底の観察ないし撮影時の画角を変えることができる。また、リターンミラー１６の背後には、３５ｍｍカメラ２５が取り付けられるようになっており、一方、リターンミラーで反射された光束は、リターンミラー１７、レンズ群１８を介して観察部１９に導かれる。更に、リターンミラー１７の上方には、ポラロイド（登録商標）カメラ２６あるいはＣＣＤカメラ２７が取り付けられるようになっている。
【００１３】
リターンミラー１６と１７はＣＰＵ１２の制御によりそれぞれ光路に挿脱可能になっており、観察時には、両方が図示の位置に挿入され、また３５ｍｍカメラによる撮影時にはリターンミラー１６が光路から離脱され、一方、ポラロイドカメラ２６あるいはＣＣＤカメラ２７による撮影のときにはリターンミラー１６が光路に挿入され、リターンミラー１７は光路から離脱される。
【００１４】
また、穴あき全反射ミラー１０の後方の光路には、バリアーフィルタ２２が配置され、このバリアーフィルタ２２は、５３０ｎｍ以下の波長をカットして５３０ｎｍ以上６５０ｎｍ以下の波長を透過するもので、シャッター２４を切った時にＣＰＵ１２の制御により光路内に挿入できるようになっているが、検者の操作によりあらかじめ挿入しておくこともできる。
【００１５】
また、眼底カメラには、撮影条件を設定する操作部２３、種々のデータを表示する表示部３６が設けられており、操作部２３が図２（Ａ）、（Ｂ）に、また表示部３６が図２（Ｂ）にそれぞれ図示されている。
【００１６】
図２（Ａ）において、３０は撮影倍率（撮影範囲・画角）を設定するスイッチであって、例えば４５°の画角に設定されると、レンズ１４が光路に挿入され、２０°の画角に設定されると、レンズ１４’が光路に挿入される。３１は観察照明ランプ１の光量を調整するつまみである。
【００１７】
３２は撮影モード切換スイッチで、「ＭＡＮＵＡＬ」モードが選択されたときには、ストロボ光量設定スイッチ３３で設定された露光量でストロボ３を発光させて撮影が行われ、一方「ＡＵＴＯ」モードが選択されたときは、撮影条件ないし被検眼の状態に応じて自動的に設定される露光量でストロボ３を発光させて撮影が行われる。なお、３４は自動設定された露光量を、検者が±２段階の範囲で微調整するためのスイッチである。
【００１８】
３５は撮影画像を記録する記録媒体の選択スイッチであり、下側を選択すると３５ｍｍカメラ２５が選択され、マウント部から３５ｍｍカメラ２５が取り付けられているという情報とカメラに装填されているフィルムの感度情報がＣＰＵ１２に入力される。一方、選択スイッチ３５を上側に操作すると、ポラロイドカメラ２６あるいはＣＣＤカメラ２７が選択され、マウント部に取り付けられているカメラの情報がＣＰＵ１２に入力される。
【００１９】
表示部３６は、通常はストロボ光量設定スイッチ３３で設定された露光量が表示されるが、「ＡＵＴＯ」モードが選択されたときは、自動設定された露光量が表示される。またタイマー操作スイッチ３７を押すと、押したときからの秒数が表示部３６に表示され、更にＩＤナンバー表示スイッチ４４を押すと、テンキー４２で設定されたＩＤナンバーが表示部３６に表示される。なおこの表示されている秒数およびＩＤ  Ｎｏ．は表示されているときに撮影されたフィルムに写し込まれる。また、この表示部３６には、ＩＤナンバー表示、タイマー表示などの撮影条件以外の撮影データのほかに、日付表示、フィルムカウンタ表示などの撮影データも表示させることができる。
【００２０】
３８は被検者の瞳の色により露光量を調整するための切換スイッチであり、３９〜４３はフィルタの操作スイッチであり、エキサイターフィルタ操作スイッチ３９を押すとエキサイターフィルタ１３ｄ（ブルーフィルター）が光路に挿入され、その状態でバリアーフィルタ操作スイッチ４０を押すとバリアーフィルタ２２も挿入されて蛍光撮影状態となる。操作スイッチ４１を押すとレッドフィルタ１３ｂが、また操作スイッチ４３を押すと、グリーンフィルタ１３ｃがそれぞれ光路に挿入される。そのときはバリアフィルター２２は光路から外される。
【００２１】
なお、以上説明した各種スイッチには、各スイッチに関連して点灯ないし点滅する表示素子（表示ＬＥＤ）が設けられ、またスイッチの機能を表示する文字を照明する照明素子（照明ＬＥＤ）が設けられる。例えば、撮影モード切換スイッチ３２では、表示ＬＥＤ３２ａ、３２ｃが設けられ、また「ＡＵＴＯ」、「ＭＡＮＵＡＬ」の文字を照明する照明ＬＥＤ３２ｂ、３２ｄが設けられる。同様に、ストロボ光量設定スイッチ３３に対して表示ＬＥＤ３３ａが、またその各数字を照明する照明ＬＥＤが設けられ、また微調整スイッチ３４の各数字を照明する照明ＬＥＤが設けられる。更に、記録媒体選択スイッチ３５では、表示ＬＥＤ３５ａ、３５ｂが、また、タイマー操作スイッチ３７、エキサイターフィルタ操作スイッチ３９、バリアーフィルタ操作スイッチ４０には、それぞれ表示ＬＥＤ３７ａ、３９ａ、４０ａが設けられ、また各「ＴＩＭＥＲ」、「ＥＸＣＩＴＥＲ」、「ＢＡＲＲＩＥＲ」の各文字を照明する照明ＬＥＤ３７ｂ、３９ｂ、４０ｂが設けられる。
【００２２】
このような構成において、蛍光撮影を行なうときの各種スイッチの表示ないし照明ＬＥＤの点灯状態を図３に沿って説明する。
【００２３】
図３に図示したように、電源をＯＮにすると（ステップＳ１）、記録媒体選択スイッチ３５、撮影モード切換スイッチ３２のスイッチング状態に応じて、それぞれ選択された記録媒体ないし撮影モードを示す表示ＬＥＤが点灯する。すなわち、選択スイッチ３５で３５ｍｍカメラ２５が選択されている場合は、表示ＬＥＤ３５ａが、またポラロイドカメラ２６あるいはＣＣＤカメラ２７が選択されている場合は、表示ＬＥＤ３５ｂが点灯する（ステップＳ２）。
【００２４】
また、撮影モード切換スイッチ３２で「ＡＵＴＯ」モードが選択された場合は、表示ＬＥＤ３２ａが点灯し、「ＡＵＴＯ」の文字を照明する照明ＬＥＤ３２ｂが点灯し、該文字を照明する（ステップＳ３）。またこのとき、微調整スイッチ３４で選択されている数字（図２（Ａ）では、「＋１」）を照明する照明ＬＥＤが点灯する（ステップＳ４）。一方、「ＭＡＮＵＡＬ」モードが選択された場合は、表示ＬＥＤ３２ｃが点灯し、「ＭＡＮＵＡＬ」の文字を照明する照明ＬＥＤ３２ｄが点灯し、該文字を照明する（ステップＳ３）。またこのとき、ストロボ光量設定スイッチ３３の表示ＬＥＤ３３ａが点滅し、ストロボ光量が選択された場合は、その選択された数字を照明する照明ＬＥＤが点灯し、選択された数字（図２（Ａ）では「３８」）を照明する（ステップＳ５）。
【００２５】
蛍光撮影では、エキサイターフィルタ１３ｄ、バリアーフィルタ２２のフィルタの挿脱及びタイマーの操作など一連の操作が行なわれるので、以下のように、各種表示が行なわれ、検者を誘導する。
【００２６】
電源をＯＮにした状態では、「ＥＸＣＩＴＥＲ」の文字を照明する照明ＬＥＤ３９ｂのみが点灯し、エキサイターフィルタ操作スイッチ３９の表示ＬＥＤ３９ａ、バリアーフィルタ操作スイッチ４０の表示ＬＥＤ４０ａと照明ＬＥＤ４０ｂ、並びにタイマー操作スイッチ３７の表示ＬＥＤ３７ａと照明ＬＥＤ３７ｂは消灯している（ステップＳ６）。従って、検者は、まずエキサイターフィルタ操作スイッチ３９を操作するように誘導される。
【００２７】
そこで、検者は、エキサイターフィルタ操作スイッチ３９を押す（ステップＳ７）。これにより、エキサイターフィルタ１３ｄが光路に挿入され、このとき、エキサイターフィルタ操作スイッチ３９の表示ＬＥＤ３９ａが点灯し操作スイッチ３９が操作されたことが示される。同時にバリアーフィルタ操作スイッチ４０の照明ＬＥＤ４０ｂとタイマー操作スイッチ３７の照明ＬＥＤ３７ｂがそれぞれ点灯し、「ＢＡＲＲＩＥＲ」と「ＴＩＭＥＲ」の文字が照明され、各操作スイッチの位置が示される。また、このとき同時にバリアーフィルタ操作スイッチ４０の表示ＬＥＤ４０ａとタイマー操作スイッチ３７の表示ＬＥＤ３７ａがそれぞれ点滅し、次の操作がタイマーの操作ないしバリアーフィルタの挿入であることが予告される（ステップＳ８）。
【００２８】
エキサイターフィルタ挿入後、検者は被検者に蛍光剤を投与し、それと同時にタイマー操作スイッチ３７を操作する（ステップＳ９）。これにより、タイマーによる経時が開始され、経時時間が表示部３６に表示され、タイマー操作スイッチ３７の表示ＬＥＤ３７ａが点滅から点灯に変わる（ステップＳ１０）。しかし、このときバリアーフィルタ操作スイッチ４０の表示ＬＥＤ４０ａはまだ点滅状態になっており、次の操作でバリアーフィルタを挿入するように誘導される。
【００２９】
検者は、そこでタイマーで計測された所定の時間が経過した後バリアーフィルタ操作スイッチ４０を操作する（ステップＳ１１）。これによりバリアーフィルタ２２が光路に挿入され、バリアーフィルタ操作スイッチ４０の表示ＬＥＤ４０ａが点滅から点灯に変わってすべてのＬＥＤ３７ａ、３７ｂ、３９ａ、３９ｂ、４０ａ、４０ｂが点灯されることになる（ステップＳ１２）。そして、シャッター２４を操作し、ストロボ４を発光させて眼底の蛍光像を選択されている記録媒体に記録する。
【００３０】
続いて、エキサイターフィルタ操作スイッチ３９を再び押す（ステップＳ１３）。これにより蛍光撮影に関連した一連の操作が終了するので、電源ＯＮのときと同じ状態に戻り、「ＥＸＣＩＴＥＲ」照明ＬＥＤ３９ｂのみが点灯した状態となる。
【００３１】
なお、上記実施形態において、各表示ＬＥＤの点滅速度を変化できるようにし、例えば、次の操作に関連して点滅するＬＥＤの点滅速度を増大させ、それまでの操作に誤操作があったことを警告するようにすることもできる。
【００３２】
また、上述の実施形態では、タイマー操作並びにバリアーフィルタの挿入のどちらを先に行ってもよいので、ステップＳ８で、照明ＬＥＤ３７ｂ、４０ｂの両方を点灯し、また表示ＬＥＤ３７ａ、４０ａの両方を点滅させたが、タイマーを先に操作する場合、あるいはバリアーフィルタを先に挿入する場合には、先に操作すべき操作スイッチの照明ＬＥＤを点灯し、またその表示ＬＥＤを点滅し、後の操作に関連する操作スイッチの照明ＬＥＤと表示ＬＥＤは消灯させておくようにし、先に操作すべき操作スイッチが操作されたときに、その操作された操作スイッチの表示ＬＥＤを点滅から点灯に変化させ、後に操作される操作スイッチの照明ＬＥＤを点灯して、その表示ＬＥＤを点滅させるようにする。
【００３３】
更に、上記実施形態において、照明素子により操作スイッチの機能を示す文字が照明されていないときは、その操作スイッチの操作を無効にすることができる。例えば、エキサイターフィルタ操作スイッチ３９が押されていないときは、まだ、タイマー操作スイッチ３７、バリアーフィルタ操作スイッチ４０の照明ＬＥＤ３７ｂ、４０ｂは点灯せず、「ＴＩＭＥＲ」、「ＢＡＲＲＩＥＲ」の文字は照明されないので、タイマー操作スイッチ３７、バリアーフィルタ操作スイッチ４０を操作しても何の動作も発生しない。このように、最初はエキサイターフィルタ操作スイッチのみが操作でき、誤動作の発生を防止することが可能になる。
【００３４】
このように、検者は順次点滅していく操作スイッチを押して測定を行なうことができるので、暗室でも的確に眼科測定を行なうことができるようになる。
【００３５】
【発明の効果】
以上説明したように、本発明では、操作された操作スイッチの表示素子が順次点灯して、次に操作すべき操作スイッチの表示素子が順次点滅するので、検者は、一連の操作を経て暗室で眼科測定する場合に、点滅している操作スイッチを順次操作して測定を行なえばよく、検者の操作を的確に誘導できることから、効率的で正確な眼科測定を行なうことができる。
【００３６】
また、本発明では、一連の操作で最初に操作される操作スイッチの機能を示す文字のみが照明されるので、検者は暗室で作業を行なっていても、最初に操作すべき操作スイッチが指示され、誤操作なく一連の操作を開始することができる。また、一旦操作が開始されると、その操作された操作スイッチの表示素子が順次点灯され、次の操作で操作される操作スイッチの表示素子が順次点滅されるので、検者の操作を的確に誘導することができる。
【図面の簡単な説明】
【図１】本発明の眼科カメラの構成を示した構成図である。
【図２】眼科カメラの操作部、表示部の配置を示した配置図である。
【図３】蛍光撮影を行なう場合の各ＬＥＤの点灯ないし点滅の流れを示した流れ図である。
【符号の説明】
１  ランプ
４  ストロボ
１１  対物レンズ
１３  フィルタターレット
２２  バリアーフィルタ
２３  操作部
２５  ３５ｍｍカメラ
２６  ストロボカメラ
２７  ＣＣＤカメラ
３６  表示部
【図１】
0004527251.tif 000002
【図２】
0004527251.tif 000003
【図３】
0004527251.tif 000004